(57)【要約】【課題】建物の外部にフラワーボックスを設けることができるとともに、外部からの視線を確実に遮ることが可能な建物を提供することを目的とする。【解決手段】開口部１１ａ，２１ａが形成された外壁１１，２１にフラワーボックス１２，２２が設けられ、このフラワーボックス１２，２２は、底部１３，２３と、立ち上がり壁１４，２４と、排水手段１５，２５とを備え、開口部１１ａ，２１ａの前方には、庇部１６，２６と立ち上がり壁１４，２４の上端面との間に架設されることによって、この開口部１１，２１を遮蔽する遮蔽物３３，３４，３５，３６が配置されていることを特徴とする建物１０，２０。これにより、部屋を狭めなくとも部屋の中から植物を見て楽しむことができるとともに、遮蔽物によって、外部から建物内部へと向かう視線を確実に遮ることができる。【選択図】図１
2010070937.tif 000002
【特許請求の範囲】
【請求項１】
外壁に、この外壁から外側に突出するとともに、植物を植栽する容器が収容されるフラワーボックスが設けられてなる建物において、
このフラワーボックスは、前記外壁から外側に突出する底部と、この底部の外周縁に沿って立設される立ち上がり壁と、このフラワーボックス内の水を外部に排出する排水手段とを備えており、
前記外壁には、建物内部と外部とを連通する開口部が、前記フラワーボックスに面して形成されるとともに、この開口部の上方に、前記外壁から外側に突出する庇部が設けられており、
前記開口部の前方には、この開口部に対向するとともに、前記庇部と前記立ち上がり壁の上端面との間に架設されることによって、この開口部を遮蔽する遮蔽物が配置されていることを特徴とする建物。
【請求項２】
請求項１に記載の建物において、
前記遮蔽物は、前記容器に植栽される植物を絡ませるための緑化用ネットであることを特徴とする建物。
【請求項３】
請求項１に記載の建物において、
前記遮蔽物は、簾であることを特徴とする建物。
【請求項４】
請求項１に記載の建物において、
前記遮蔽物は、建物内部への虫の侵入を防止する防虫ネットであることを特徴とする建物。
【請求項５】
請求項１に記載の建物において、
前記遮蔽物は、建物内部への鳥の侵入を防止する防鳥ネットであることを特徴とする建物。
【請求項６】
請求項１〜５のいずれか一項に記載の建物において、
前記庇部の外部への突出寸法は、前記底部の突出寸法よりも長くなるように設定されていることを特徴とする建物。
【請求項７】
請求項１〜６のいずれか一項に記載の建物において、
前記開口部には、この開口部を開閉可能な開閉窓が設けられており、この開閉窓は、上下方向または左右方向にスライドするスライド式の窓であることを特徴とする建物。
【請求項８】
請求項１〜６のいずれか一項に記載の建物において、
前記開口部には、この開口部を開閉可能な開閉窓が設けられており、この開閉窓は、建物内部に向かって開く内開き式の窓であることを特徴とする建物。
【請求項９】
請求項１〜８のいずれか一項に記載の建物において、
建物内部の下階部に設けられる部屋の一部が、前記底部の下方に位置していることを特徴とする建物。
【発明の詳細な説明】
【技術分野】
【０００１】
本発明は、外壁に、この外壁から外側に突出するとともに、植物を植栽する容器が収容されるフラワーボックスが設けられてなる建物に関する。
【背景技術】
【０００２】
都市部では、住宅等の建物が建築される敷地が狭小であるため、建物の外周に庭を設け、この庭に植物を植栽して生育させることが困難な場合がある。
そこで、建物の内部にフラワーボックスを設置するなどして、植物を部屋の中で生育させることが行われている（例えば、特許文献１参照）。
【特許文献１】特開２００２−２７６１６８号公報
【発明の開示】
【発明が解決しようとする課題】
【０００３】
ところが、部屋の中にフラワーボックスを設置してしまうと、その分、部屋を狭めなければならない。また、このように部屋の中にフラワーボックスを設けるとなると、部屋の中に排水設備を設けなければならない場合もあるため、フラワーボックスを建物の外壁の開口部付近の外部に設けたいという要望がある。
一方、都市部では隣り合う建物同士が近接していたり、建物と道路とが近い場合があったりするため、近年、建物の内部が外部からの視線を受けることが問題となっている。特に、上述のように建物の外壁の開口部付近の外部にフラワーボックスを設けてしまうと、外部からの視線が集まりやすくなる場合がある。
【０００４】
本発明の課題は、建物の外部にフラワーボックスを設けることができるとともに、外部からの視線を確実に遮ることが可能な建物を提供することを目的とする。
【課題を解決するための手段】
【０００５】
請求項１に記載の発明は、例えば図１〜図８に示すように、外壁１１，２１に、この外壁１１，２１から外側に突出するとともに、植物３１，３２を植栽する容器３０が収容されるフラワーボックス１２，２２が設けられてなる建物１０，２０において、
このフラワーボックス１２，２２は、前記外壁１１，２１から外側に突出する底部１３，２３と、この底部１３，２３の外周縁に沿って立設される立ち上がり壁１４，２４と、このフラワーボックス１２，２２内の水を外部に排出する排水手段１５，２５とを備えており、
前記外壁１１，２１には、建物内部と外部とを連通する開口部１１ａ，２１ａが、前記フラワーボックス１２，２２に面して形成されるとともに、この開口部１１ａ，２１ａの上方に、前記外壁１１，２１から外側に突出する庇部１６，２６が設けられており、
前記開口部１１ａ，２１ａの前方には、この開口部１１ａ，２１ａに対向するとともに、前記庇部１６，２６と前記立ち上がり壁１４，２４の上端面との間に架設されることによって、この開口部１１，２１を遮蔽する遮蔽物３３，３４，３５，３６が配置されていることを特徴とする。
【０００６】
請求項１に記載の発明によれば、外壁１１，２１に、この外壁１１，２１から外側に突出するとともに、植物３１，３２を植栽する容器３０が収容されるフラワーボックス１２，２２が設けられており、このフラワーボックス１２，２２は、前記外壁１１，２１から外側に突出する底部１３，２３と、この底部１３，２３の外周縁に沿って立設される立ち上がり壁１４，２４と、このフラワーボックス１２，２２内の水を外部に排出する排水手段１５，２５とを備えているので、従来とは異なり、排水手段１５，２５を備えたフラワーボックス１２，２２を建物の外部に、かつ前記開口部１１ａ，２１ａに面して設けることができ、部屋を狭めなくとも部屋の中から植物３１，３２を見て楽しむことができる。また、前記立ち上がり壁１４，２４によって、前記フラワーボックス１２，２２に収容される容器３０を隠すことができる。
しかも、前記遮蔽物３３，３４，３５，３６を、前記庇部１６，２６と前記立ち上がり壁１４，２４の上端面との間に架設することによって、例えば前記遮蔽物３３，３４，３５，３６を前記開口部１１ａ，２１ａに接近させて配置した場合に比して、前記遮蔽物３３，３４，３５，３６と開口部１１ａ，２１ａとの間の空間をできるだけ広く確保することができるので、部屋の中から植物３１，３２を見て楽しむ際に、前記遮蔽物３３，３４，３５，３６による圧迫感を感じずに植物３１，３２を見て楽しむことができる。
さらに、前記開口部１１ａ，２１ａの前方には、この開口部１１ａ，２１ａに対向するとともに、前記庇部１６，２６と前記立ち上がり壁１４，２４の上端面との間に架設されることによって、この開口部１１ａ，２１ａを遮蔽する遮蔽物３３，３４，３５，３６が配置されているので、この遮蔽物３３，３４，３５，３６によって、外部から建物内部へと向かう視線を確実に遮ることができ、例えば都市部の狭小敷地に建物１０，２０が建築されることによって隣接する建物が近接して建築されていたり、建物１０，２０と道路とが近い場合であっても確実にプライバシーを保護できる。
さらに、前記遮蔽物３３，３４，３５，３６によって、前記容器３０に植栽された植物３１，３２を遮蔽することができるので、例えば激しい風雨や強い日差しを確実に遮ることができ、激しい風雨に弱い植物や、強い日差しに弱い植物なども育てやすくなる。すなわち、例えば前記遮蔽物３３，３４，３５，３６が、風雨や日差しを完全遮断するものではなく、網目やスリットを有するものであったとしても、激しい風雨は、この遮蔽物３３，３４，３５，３６にぶつかった際に勢いが弱められることとなり、強い日差しも、網目やスリット等の隙間から遮蔽物３３，３４，３５，３６を透過することで弱められることとなる。
【０００７】
請求項２に記載の発明は、例えば図１〜図７に示すように、請求項１に記載の建物１０，２０において、
前記遮蔽物３３は、前記容器３０に植栽される植物３１を絡ませるための緑化用ネット３３であることを特徴とする。
【０００８】
請求項２に記載の発明によれば、前記遮蔽物３３は、前記容器３０に植栽される植物３１を絡ませるための緑化用ネット３３であることから、この緑化用ネット３３に植物３１を絡ませることができるので、この植物３１によって前記開口部１１ａ，２１ａを遮蔽することができる。
また、このように植物３１によって前記開口部１１ａ，２１ａを遮蔽できることで、外部から建物内部へと向かう視線を遮るだけでなく、前記外壁１１，２１の外観性を向上させることができ、さらに、植物３１による気温、日照日射等の調整といった物理的環境調整効果を得ることができる。
つまり、例えば前記植物３１が落葉性であれば、夏場においては葉が生い茂り、前記開口部１１ａ，２１ａへの強い日差しを確実に遮ることができるとともに、前記開口部１１ａ，２１ａと植物３１との間の空気層が緩衝体の働きをして前記外壁１１，２１および開口部１１ａ，２１ａへの熱の伝達を防止できるので、前記外壁１１，２１の表面温度の上昇を防ぐとともに部屋の温度上昇も防ぐことができる。また、冬場においては葉が枯れ落ち、日中は、日差しが植物３１の葉が落ちた隙間から前記外壁１１，２１および開口部１１ａ，２１ａまで届くようになるので、この外壁１１，２１の表面温度を上昇させ、さらに、部屋の温度も上昇させることができる。
一方、前記植物３１が常緑性であれば、夏場においては葉が生い茂るので、落葉性の場合と同様の効果を得ることができる。また、冬場においては植物３１の葉は残ることとなるので、この植物３１によって、部屋からの熱が前記開口部１１ａ，２１ａを伝達して外部へと逃げてしまうことを防ぐことができ、保温に効果がある。
また、この緑化用ネット３３は、網状体であるから、外部から開口部１１ａ，２１ａへと緩やかに吹き込む風を網目から通すことができるので、通風性に優れる。
【０００９】
請求項３に記載の発明は、例えば図２に示すように、請求項１に記載の建物１０，２０において、
前記遮蔽物３４は、簾３４であることを特徴とする。
【００１０】
ここで、前記簾３４とは、竹、葦、樹脂製パイプ、木製の棒等のような複数本の棒状部材を互いに略平行に配置し、この複数本の棒状部材を紐や糸等のような線材によって編み連ねて形成されたものである。
【００１１】
請求項３に記載の発明によれば、前記遮蔽物３４は、簾３４であることから、この簾３４を構成する複数本の棒状部材によって前記開口部１１ａ，２１ａを遮蔽することができるので、外部から建物内部へと向かう視線を遮ることができるとともに、強い日差しを確実に遮ることができる。
また、この簾３４は、外部から開口部１１ａ，２１ａへと緩やかに吹き込む風を、前記複数本の棒状部材間の隙間から通すことができるので、通風性に優れる。
【００１２】
請求項４に記載の発明は、例えば図３に示すように、請求項１に記載の建物１０，２０において、
前記遮蔽物３５は、建物内部への虫の侵入を防止する防虫ネット３５であることを特徴とする。
【００１３】
請求項４に記載の発明によれば、前記遮蔽物３５は、建物内部への虫の侵入を防止する防虫ネット３５であることから、この防虫ネット３５によって、前記開口部１１ａ，２１ａの前方から建物内部に向かって飛来する虫の侵入を確実に防止できる。
また、この防虫ネット３５は網状体であるから、この防虫ネット３５に植物３１を絡ませたり、這わせたりすることができるので、この植物３１によって前記開口部１１ａ，２１ａを遮蔽できるとともに、植物３１による気温、日照日射等の調整といった物理的環境調整効果を得ることができる。
また、この防虫ネット３５は、網状体であるから、外部から開口部１１ａ，２１ａへと緩やかに吹き込む風を網目から通すことができるので、通風性に優れる。
【００１４】
請求項５に記載の発明は、例えば図３に示すように、請求項１に記載の建物１０，２０において、
前記遮蔽物３６は、建物内部への鳥の侵入を防止する防鳥ネット３６であることを特徴とする。
【００１５】
請求項５に記載の発明によれば、前記遮蔽物３６は、建物内部への鳥の侵入を防止する防鳥ネット３６であることから、この防鳥ネット３６によって、前記開口部１１ａ，２１ａの前方から建物内部に向かって飛来する鳥の侵入を確実に防止できる。
また、この防鳥ネット３６は網状体であるから、この防鳥ネット３６に植物３１を絡ませたり、這わせたりすることができるので、この植物３１によって前記開口部１１ａ，２１ａを遮蔽できるとともに、植物３１による気温、日照日射等の調整といった物理的環境調整効果を得ることができる。
また、この防鳥ネット３６は、網状体であるから、外部から開口部１１ａ，２１ａへと緩やかに吹き込む風を網目から通すことができるので、通風性に優れる。
【００１６】
請求項６に記載の発明は、例えば図１〜図３に示すように、請求項１〜５のいずれか一項に記載の建物１０，２０において、
前記庇部１６，２６の外部への突出寸法は、前記底部１３，２３の突出寸法よりも長くなるように設定されていることを特徴とする。
【００１７】
請求項６に記載の発明によれば、前記庇部１６，２６の外部への突出寸法は、前記底部１３，２３の突出寸法よりも長くなるように設定されているので、前記庇部１６，２６は、前記底部１３，２３よりも外部に向かって突出することとなる。これによって、前記フラワーボックス１２，２２内に雨や雪が降り注ぎにくくなる。また、夏場においては、比較的高い位置から前記フラワーボックス１２，２２に向かって注がれる強い日差しを、前記庇部１６，２６によって、より確実に遮ることができるので、強い日差しに弱い植物をより育てやすくなる。
【００１８】
請求項７に記載の発明は、請求項１〜６のいずれか一項に記載の建物１０，２０において、
前記開口部１１ａ，２１ａには、この開口部１１ａ，２１ａを開閉可能な開閉窓が設けられており、この開閉窓は、上下方向または左右方向にスライドするスライド式の窓であることを特徴とする。
【００１９】
請求項７に記載の発明によれば、前記開閉窓が、上下方向または左右方向にスライドするスライド式の窓であることから、この開閉窓を上下方向または左右方向にスライドさせることによって前記開口部１１ａ，２１ａを開閉させることができる。
これによって、例えば前記容器３０に植栽される植物３１，３２に水やり等の作業を行う際に、前記開閉窓をスライドさせることによって、この開閉窓が前記植物３１，３２に当たらないように前記開口部１１ａ，２１ａを開放させることができる。したがって、この開閉窓によって前記植物３１，３２を傷つけることなく、前記開口部１１ａ，２１ａを開放させることができるので、水やりや植え替え等の管理作業がしやすくなる。また、この開閉窓１１ｂ，２１ｂによって前記遮蔽物３３，３４，３５，３６を傷つけることもない。
また、このように前記植物３１，３２を傷つけることなく、前記開口部１１ａ，２１ａを開放させることができるので、前記植物３１，３２を前記開口部１１ａ，２１ａに近づけて植栽することができ、部屋から植物３１，３２を見やすくなり、より楽しむことができる。
【００２０】
請求項８に記載の発明は、例えば図５および図７に示すように、請求項１〜６のいずれか一項に記載の建物１０，２０において、
前記開口部１１ａ，２１ａには、この開口部１１ａ，２１ａを開閉可能な開閉窓１１ｂ，２１ｂが設けられており、この開閉窓１１ｂ，２１ｂは、建物内部に向かって開く内開き式の窓であることを特徴とする。
【００２１】
請求項８に記載の発明によれば、前記開閉窓１１ｂ，２１ｂが建物内部に向かって開く内開き式の窓であることから、この開閉窓１１ｂ，２１ｂを建物内部に向かって開いたり閉じたりすることによって前記開口部１１ａ，２１ａを開閉させることができる。
これによって、例えば前記容器３０に植栽される植物３１，３２に水やり等の作業を行う際に、前記開閉窓１１ｂ，２１ｂを建物内部に向かって開くことによって、この開閉窓１１ｂ，２１ｂが前記植物３１，３２に当たらないように前記開口部１１ａ，２１ａを開放させることができる。したがって、この開閉窓１１ｂ，２１ｂによって前記植物３１，３２を傷つけることなく、前記開口部１１ａ，２１ａを開放させることができるので、水やりや植え替え等の管理作業がしやすくなる。また、この開閉窓１１ｂ，２１ｂによって前記遮蔽物３３，３４，３５，３６を傷つけることもない。
また、このように前記植物３１，３２を傷つけることなく、前記開口部１１ａ，２１ａを開放させることができるので、前記植物３１，３２を前記開口部１１ａ，２１ａに近づけて植栽することができ、部屋から植物３１，３２を見やすくなり、より楽しむことができる。
【００２２】
請求項９に記載の発明は、例えば図７および図８に示すように、請求項１〜８のいずれか一項に記載の建物２０において、
建物内部の下階部に設けられる部屋２０ａの一部が、前記底部２３の下方に位置していることを特徴とする。
【００２３】
請求項９に記載の発明によれば、建物内部の下階部に設けられる部屋２０ａの一部が、前記底部２３の下方に位置しているので、例えば都市部の狭小敷地に建物２０を建築する場合であっても、できるだけ部屋を広く取ることができ、敷地を有効的に活用できることとなる。
【発明の効果】
【００２４】
本発明によれば、外壁に、この外壁から外側に突出するとともに、植物を植栽する容器が収容されるフラワーボックスが設けられており、このフラワーボックスは、外壁から外側に突出する底部と、この底部の外周縁に沿って立設される立ち上がり壁と、このフラワーボックス内の水を外部に排出する排水手段とを備えているので、従来とは異なり、排水手段を備えたフラワーボックスを建物の外部に、かつ開口部に面して設けることができ、部屋を狭めなくとも部屋の中から植物を見て楽しむことができる。また、立ち上がり壁によって、フラワーボックスに収容される容器を隠すことができる。
しかも、遮蔽物を、庇部と立ち上がり壁の上端面との間に架設することによって、例えば遮蔽物を開口部に接近させて配置した場合に比して、遮蔽物と開口部との間の空間をできるだけ広く確保することができるので、部屋の中から植物を見て楽しむ際に、遮蔽物による圧迫感を感じずに植物を見て楽しむことができる。
さらに、開口部の前方には、この開口部に対向するとともに、庇部と立ち上がり壁の上端面との間に架設されることによって、この開口部を遮蔽する遮蔽物が配置されているので、この遮蔽物によって、外部から建物内部へと向かう視線を確実に遮ることができ、例えば都市部の狭小敷地に建物が建築されることによって隣接する建物が近接して建築されていたり、建物と道路とが近い場合であっても確実にプライバシーを保護できる。
さらに、遮蔽物によって、容器に植栽された植物を遮蔽することができるので、例えば激しい風雨や強い日差しを確実に遮ることができ、激しい風雨に弱い植物や、強い日差しに弱い植物なども育てやすくなる。すなわち、例えば遮蔽物が、風雨や日差しを完全遮断するものではなく、網目やスリットを有するものであったとしても、激しい風雨は、この遮蔽物にぶつかった際に勢いが弱められることとなり、強い日差しも、網目やスリット等の隙間から遮蔽物を透過することで弱められることとなる。
【発明を実施するための最良の形態】
【００２５】
以下、図面を参照して本発明の実施の形態について説明する。
【００２６】
（第１の実施の形態）
本実施の形態の建物１０は、図１，図４および図５に示すように、外壁１１に、この外壁１１から外側に突出するとともに、植物３１を植栽する容器３０が収容されるフラワーボックス１２が設けられてなるものである。
また、このフラワーボックス１２は、前記外壁１１から外側に突出する底部１３と、この底部１３の外周縁に沿って立設される立ち上がり壁１４と、このフラワーボックス１２内の水を外部に排出する排水手段１５とを備えている。
さらに、前記外壁１１には、建物内部と外部とを連通する開口部１１ａが、前記フラワーボックス１２に面して形成されるとともに、この開口部１１ａの上方に、前記外壁１１から外側に突出する庇部１６が設けられている。
そして、前記開口部１１ａの前方には、この開口部１１ａに対向するとともに、前記庇部１６と前記立ち上がり壁１４の上端面との間に架設されることによって、この開口部１１を遮蔽する遮蔽物３３が配置されている。
【００２７】
なお、本実施の形態の遮蔽物３３は、図１に示すように、前記容器３０に植栽される植物３１を絡ませるための緑化用ネット３３であり、この植物３１は前記緑化用ネット３３に絡みやすい蔦などの蔓性植物である。
本実施の形態においては、このような植物３１が絡みついた緑化用ネット３３が、前記開口部１１ａの前方に配置されているので、この緑化用ネット３３によって、外部から建物内部へと向かう視線を確実に遮ることができるようになっている。
【００２８】
ここで、本実施の形態の建物１０は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２９】
また、前記外壁１１は、図示はしないが、建物１０の外周に沿って立設される外壁パネルと、この外壁パネルの外側の表面に貼り付けられる外装材と、内側の表面に貼り付けられる石膏ボード等の内装材とで概略構成されているものとする。
【００３０】
そして、本実施の形態の外壁１１は、図４に示すように、建物１０の正面に配置された外壁のうち、他の外壁１１ｃよりも室内側に若干後退した状態で設けられており、この外壁１１の両端部と前記他の外壁１１ｃとの間には、互いに対向する側壁１７，１８が設けられており、建物１０の正面に配置された外壁は、前記外壁１１と、他の外壁１１ｃと、側壁１７，１８とによって、平面視において凹状に形成されている。
【００３１】
さらに、この外壁１１は、上述のように他の外壁１１ｃよりも室内側に若干後退した状態となっており、この外壁１１の下端部と前記他の外壁１１ｃとの間には前記フラワーボックス１２の底部１３が設けられており、この外壁１１の上端部と前記他の外壁１１ｃとの間には前記底部１３と対向する天井部１９が設けられている。これによって、建物１０の正面に配置された外壁は、前記外壁１１と、他の外壁１１ｃと、底部１３と、天井部１９とによって、側断面視においても凹状に形成されている。
【００３２】
また、前記外壁１１には、上述のように前記開口部１１ａが形成されており、この開口部１１ａには、この開口部１１ａを開閉可能な開閉窓１１ｂが設けられている。
さらに、この開閉窓１１ｂは、図５に示すように、建物内部に向かって開く内開き式の窓であり、この開閉窓１１ｂを建物内部に向かって開いたり閉じたりすることによって前記開口部１１ａを開閉させることができる。
なお、本実施の形態の開閉窓１１ｂは内開き式としたが、これに限られるものではなく、例えば上下方向または左右方向にスライドするスライド式の窓であってもよい。
また、本実施の形態の開閉窓１１ｂは２枚１組で前記開口部１１ａを閉塞できるようになっており、このような２枚組みの開閉窓１１ｂが内開き式に設定されているので、これら開閉窓１１ｂ双方を開くことによって前記開口部１１ａを全開放させることができる。
【００３３】
また、前記外壁１１には、前記開口部１１ａの上方に、前記外壁１１から外側に突出する庇部１６が設けられている。この庇部１６は、図４に示すように、前記天井部１９の前記底部１３と対向する面に当接するように設けられている。
この庇部１６の外部への突出寸法は、前記底部１３の突出寸法よりも長くなるように設定されている。これによって、前記庇部１６は、前記底部１３よりも外部に向かって突出するので、前記フラワーボックス１２内に雨や雪が降り注ぎにくくなる。また、夏場においては、比較的高い位置から前記フラワーボックス１２に向かって注がれる強い日差しを、前記庇部１６によって、より確実に遮ることができるので、強い日差しに弱い植物をより育てやすくなる。
なお、本実施の形態の庇部１６の外部への突出寸法は、図５に示すように、前記底部１３の突出寸法の略２倍に設定されている。
【００３４】
一方、前記フラワーボックス１２は、上述のように前記底部１３と、立ち上がり壁１４と、排水手段１５とを備えている。
そして、本実施の形態のフラワーボックス１２は、図１および図５に示すように、前記外壁１１と、前記底部１３と、前記立ち上がり壁１４と、前記側壁１７，１８とによって上部が開放された箱状に形成されており、このフラワーボックス１２内に、前記容器３０が、前記底部１３上に載せられるようにして収容されている。
なお、このフラワーボックス１２内部は、図示しない防水シートが溶着されるなどして防水加工が施されているものとする。
【００３５】
前記底部１３は、前記容器３０を載せるためのものであり、この底部１３の幅寸法は前記外壁１１の幅寸法と略等しくなるように設定されており、この底部１３の突出寸法は、例えば３０〜５０ｃｍ程度に設定されている。このように前記底部１３の外壁１１から外周縁までの長さが短く設定されているので、必然的に、この底部１３に載せられた容器３０に植物３１を植栽すれば、この植物３１を前記開口部１１ａの近くで生育できることとなる。
したがって、前記開閉窓１１ｂは、上述のように建物内部に向かって開く内開き式の窓となっている。すなわち、例えば前記容器３０に植栽される植物３１に水やり等の作業を行う際に、前記開閉窓１１ｂを建物内部に向かって開くことによって、この開閉窓１１ｂが前記植物３１に当たらないように前記開口部１１ａを開放させることができる。したがって、この開閉窓１１ｂによって前記植物３１を傷つけることなく、前記開口部１１ａを開放させることができるので、水やりや植え替え等の管理作業がしやすくなる。また、この開閉窓１１ｂによって前記緑化用ネット３３を傷つけることもない。
また、このように前記植物３１を傷つけることなく、前記開口部１１ａを開放させることができるので、前記植物３１を前記開口部１１ａに近づけて植栽することができ、部屋から植物３１を見やすくなり、より楽しむことができる。
【００３６】
前記立ち上がり壁１４は、前記底部１３の外周縁に沿って立設されている。本実施の形態においては、図５に示すように、前記底部１３の外部側の一辺に沿って立設されており、前記側壁１７と側壁１８との間に架け渡されている。
【００３７】
前記排水手段１５は、図１に示すように、前記底部１３の外周縁近傍に、この底部１３の幅方向に沿って形成される排水溝１５ａと、この排水溝１５ａとフラワーボックス１２の外部とを接続する排水パイプ１５ｂとを備えている。この排水パイプ１５ｂは、前記底部１３内を通過するとともに、地面近くまで延在する縦樋に接続されており、前記フラワーボックス１２内の水を地面へと排水できるようになっている。
なお、前記底部１３には、前記外壁１１側から前記排水溝１５ａに向かって緩やかな水勾配がつけられていることが望ましい。
【００３８】
次に、前記開口部１１ａを遮蔽する遮蔽物について説明する。
【００３９】
ここで、本実施の形態の遮蔽物３３は、上述のように前記植物３１が絡みついた緑化用ネット３３であり、この植物３１によって前記開口部１１ａ，２１ａを遮蔽することができるようになっている。
また、このように植物３１によって前記開口部１１ａ，２１ａを遮蔽できることで、外部から建物内部へと向かう視線を遮るだけでなく、前記外壁１１，２１の外観性を向上させることができる。
【００４０】
さらに、植物３１による気温、日照日射等の調整といった物理的環境調整効果を得ることができる。
つまり、例えば前記植物３１が落葉性であれば、夏場においては葉が生い茂り、前記開口部１１ａ，２１ａへの強い日差しを確実に遮ることができるとともに、前記開口部１１ａ，２１ａと植物３１との間の空気層が緩衝体の働きをして前記外壁１１，２１および開口部１１ａ，２１ａへの熱の伝達を防止できるので、前記外壁１１，２１の表面温度の上昇を防ぐとともに部屋の温度上昇も防ぐことができる。また、冬場においては葉が枯れ落ち、日中は、日差しが植物３１の葉が落ちた隙間から前記外壁１１，２１および開口部１１ａ，２１ａまで届くようになるので、この外壁１１，２１の表面温度を上昇させ、さらに、部屋の温度も上昇させることができる。
【００４１】
一方、前記植物３１が常緑性であれば、夏場においては葉が生い茂るので、落葉性の場合と同様の効果を得ることができる。また、冬場においては植物３１の葉は残ることとなるので、この植物３１によって、部屋からの熱が前記開口部１１ａ，２１ａを伝達して外部へと逃げてしまうことを防ぐことができ、保温に効果がある。
【００４２】
なお、この緑化用ネット３３は網状体であるから、風雨や日差しを完全遮断するものではなく、網目を有するものである。
したがって、激しい風雨は、この緑化用ネット３３にぶつかった際に勢いが弱められることとなり、強い日差しも、網目から緑化用ネット３３を透過することで弱められることとなる。これによって、この緑化用ネット３３によって、緩やかな風や雨滴、網目から差し込む日差しを、前記開口部１１ａを介して建物内部へと取り込むことができるようになっている。すなわち、この緑化用ネット３３は、気温、日照日射等の調整といった物理的環境調整についての機能や、通風性に優れる。
【００４３】
また、この緑化用ネット３３は、張力をかけた状態で前記庇部１６と前記立ち上がり壁１４の上端面との間に架設されている。
すなわち、図１に示すように、前記庇部１６および前記立ち上がり壁１４の上端面には、それぞれフック３７が取り付けられている。また、図示はしないが、これらフック３７は前記庇部１６の幅方向に沿って複数並設されるとともに、前記立ち上がり壁１４の幅方向に沿って複数並設されており、前記緑化用ネット３３の上端部は前記庇部１６に取り付けられた複数のフック３７に引っ掛けられており、下端部は前記立ち上がり壁１４の上端面に取り付けられた複数のフック３７に引っ掛けられた状態となっている。
また、前記緑化用ネット３３の上下方向の長さは、前記庇部１６に取り付けられたフック３７と、前記立ち上がり壁１４の上端面に取り付けられたフック３７との間の間隔よりも短くなるように形成されている。
これによって、この緑化用ネット３３を、前記庇部１６に取り付けられた複数のフック３７と、前記立ち上がり壁１４の上端面に取り付けられた複数のフック３７との間に張力をかけた状態で架設することができる。
【００４４】
なお、この緑化用ネット３３に張力をかける方法は、上述のような方法に限られるものではなく、本発明の趣旨を逸脱せず、しかも、この緑化用ネット３３が弛まないようにできば、適宜変更可能である。
すなわち、例えば、前記緑化用ネット３３の上端部や下端部に棒状の軸材を巻き付けて固定し、これら棒状の軸材を前記庇部１６および前記立ち上がり壁１４の上端面にそれぞれ取り付けられたフック３７，３７間に架設するような形態でもよい。
また、最初は弛んだ状態の前記緑化用ネット３３を、前記庇部１６および前記立ち上がり壁１４の上端面にそれぞれ取り付けられたフック３７，３７間に架設しておき、巻き取り手段によって前記緑化用ネット３３を徐々に巻き取って張力をかけ、張力をかけた状態で弛まないように固定するようにしてもよい。
または、弛むことがない金網状の緑化用ネット３３を用いるようにしてもよいものとする。この時、前記フック３７の代わりに、金網を固定するための固定金具等を用いるようにしてもよい。
【００４５】
なお、このように本実施の形態の遮蔽物を前記緑化用ネット３３とすることによって、上述のような効果を得ることができるが、これに限られるものではない。
以下に、遮蔽物として前記緑化用ネット３３に代えて用いることができるものについて説明する。
【００４６】
まず、前記遮蔽物は、図２に示すように、簾３４であってもよい。
ここで、前記簾３４とは、竹、葦、樹脂製パイプ、木製の棒等のような複数本の棒状部材を互いに略平行に配置し、この複数本の棒状部材を紐や糸等のような線材によって編み連ねて形成されたものである。
したがって、前記遮蔽物３４が、簾３４であれば、この簾３４を構成する複数本の棒状部材によって前記開口部１１ａを遮蔽することができるので、外部から建物内部へと向かう視線を遮ることができるとともに、強い日差しを確実に遮ることができる。
また、この簾３４は、外部から開口部１１ａへと緩やかに吹き込む風を、前記複数本の棒状部材間の隙間から通すことができるので、上述の緑化用ネット３３と同様に通風性に優れる。
さらに、このような簾３４であれば巻き取りも容易であり、必要に応じて、前記開口部１１ａを遮蔽しない状態にすることも可能である。
【００４７】
また、前記遮蔽物は、図３に示すように、建物内部への虫の侵入を防止する防虫ネット３５であってもよい。
これによって、この防虫ネット３５によって、前記開口部１１ａ，２１ａの前方から建物内部に向かって飛来する虫の侵入を確実に防止できる。
また、この防虫ネット３５は網状体であるから、この防虫ネット３５に植物３１を絡ませたり、這わせたりすることができるので、この植物３１によって前記開口部１１ａを遮蔽できるとともに、植物３１による気温、日照日射等の調整といった物理的環境調整効果を得ることができるようになっている。
また、この防虫ネット３５は、網状体であるから、外部から開口部１１ａ，２１ａへと緩やかに吹き込む風を網目から通すことができるので、上述の緑化用ネット３３と同様に通風性に優れる。
【００４８】
また、前記遮蔽物は、図３に示すように、建物内部への鳥の侵入を防止する防鳥ネット３６であってもよい。
これによって、この防鳥ネット３６によって、前記開口部１１ａ，２１ａの前方から建物内部に向かって飛来する鳥の侵入を確実に防止できる。
また、この防鳥ネット３６は網状体であるから、この防鳥ネット３６に植物３１を絡ませたり、這わせたりすることができるので、この植物３１によって前記開口部１１ａを遮蔽できるとともに、植物３１による気温、日照日射等の調整といった物理的環境調整効果を得ることができるようになっている。
また、この防鳥ネット３６は、網状体であるから、外部から開口部１１ａ，２１ａへと緩やかに吹き込む風を網目から通すことができるので、上述の緑化用ネット３３と同様に通風性に優れる。
【００４９】
また、前記遮蔽物は、図示しないシャッター装置であってもよい。
このようなシャッター装置を設ける場合、前記庇部１６は、シャッター本体を収納するシャッターケースを備えており、前記側壁１７，１８にはシャッター本体が上下方向に正確に移動するためのレール部が設けられており、前記立ち上がり壁１４の上端面には、シャッター本体の下端部を受ける受け部が設けられているものとする。
これによって、このシャッター装置によって、前記開口部１１ａ，２１ａを介して外部から建物内部へと向かう視線を遮るだけでなく、このシャッター装置を閉めれば風雨の侵入や日差しを完全に防ぐことができ、さらには防犯性にも優れる。
【００５０】
以上のように、本実施の形態においては、前記遮蔽物として緑化用ネット３３を用いることとしたが、これに限られるものではなく、前記簾３４や防虫ネット３５、防鳥ネット３６、シャッター装置、網目やスリットを有さないシート等であってもよい。
また、本実施の形態の植物は、蔦などの蔓性の植物３１に限られるものではなく、例えば図２および図３に示すような、前記容器３０から上方に真っ直ぐ伸びるような植物等、前記蔓性の植物３１以外の植物３２でもよいし、適宜変更可能である。
【００５１】
本実施の形態によれば、外壁１１に、この外壁１１から外側に突出するとともに、植物３１，３２を植栽する容器３０が収容されるフラワーボックス１２が設けられており、このフラワーボックス１２は、前記外壁１１から外側に突出する底部１３と、この底部１３の外周縁に沿って立設される立ち上がり壁１４と、このフラワーボックス１２内の水を外部に排出する排水手段１５とを備えているので、従来とは異なり、排水手段１５を備えたフラワーボックス１２を建物の外部に、かつ前記開口部１１ａに面して設けることができ、部屋を狭めなくとも部屋の中から植物３１，３２を見て楽しむことができる。また、前記立ち上がり壁１４によって、前記フラワーボックス１２に収容される容器３０を隠すことができる。
しかも、前記遮蔽物３３，３４，３５，３６を、前記庇部１６と前記立ち上がり壁１４の上端面との間に架設することによって、例えば前記遮蔽物３３，３４，３５，３６を前記開口部１１ａに接近させて配置した場合に比して、前記遮蔽物３３，３４，３５，３６と開口部１１ａとの間の空間をできるだけ広く確保することができるので、部屋の中から植物３１，３２を見て楽しむ際に、前記遮蔽物３３，３４，３５，３６による圧迫感を感じずに植物３１，３２を見て楽しむことができる。
さらに、前記開口部１１ａの前方には、この開口部１１ａに対向するとともに、前記庇部１６と前記立ち上がり壁１４の上端面との間に架設されることによって、この開口部１１ａを遮蔽する遮蔽物３３，３４，３５，３６が配置されているので、この遮蔽物３３，３４，３５，３６によって、外部から建物内部へと向かう視線を確実に遮ることができ、例えば都市部の狭小敷地に建物１０が建築されることによって隣接する建物が近接して建築されていたり、建物１０と道路とが近い場合であっても確実にプライバシーを保護できる。
さらに、前記遮蔽物３３，３４，３５，３６によって、前記容器３０に植栽された植物３１，３２を遮蔽することができるので、例えば激しい風雨や強い日差しを確実に遮ることができ、激しい風雨に弱い植物や、強い日差しに弱い植物なども育てやすくなる。
【００５２】
（第２の実施の形態）
次に、図面を参照して本発明の第２の実施の形態について説明する。なお、説明の便宜上、上述した第１の実施の形態とは異なる構成部分のみについて説明する。
【００５３】
ここで、本実施の形態の建物２０は、図１，図６〜図８に示すように、外壁２１に、この外壁２１から外側に突出するとともに、植物３１を植栽する容器３０が収容されるフラワーボックス２２が設けられてなるものである。
また、このフラワーボックス２２は、前記外壁２１から外側に突出する底部２３と、この底部２３の外周縁に沿って立設される立ち上がり壁２４と、このフラワーボックス２２内の水を外部に排出する排水手段２５とを備えている。
さらに、前記外壁２１には、建物内部と外部とを連通する開口部２１ａが、前記フラワーボックス２２に面して形成されるとともに、この開口部２１ａの上方に、前記外壁２１から外側に突出する庇部２６が設けられている。
そして、前記開口部２１ａの前方には、この開口部２１ａに対向するとともに、前記庇部２６と前記立ち上がり壁２４の上端面との間に架設されることによって、この開口部２１を遮蔽する遮蔽物３３が配置されている。
【００５４】
なお、本実施の形態の遮蔽物は緑化用ネット３３であり、前記容器３０に植栽される植物３１を絡ませることができるようになっている。また、この植物３１は蔦などの蔓性植物である。
また、本実施の形態の遮蔽物は緑化用ネット３３であるとしたが、これに限られるものではなく適宜変更可能であり、例えば図２および図３に示すような簾３４や防虫ネット３５、防鳥ネット３６、また図示しないシャッター装置等でもよい。
さらに、前記植物３１に代えて、蔓性ではない植物３２を前記容器３０に植栽してもよく、適宜変更可能であることは言うまでもない。
【００５５】
本実施の形態の外壁２１は、図６〜図８に示すように、建物２０の上階部に位置しており、この外壁２１よりも外部側に下階部の外壁２１ｃが配置された状態となっている。そして、前記外壁２１から、このような下階部の外壁２１ｃの上端部に向かって突出するようにして略水平にフラワーボックス２２の底部２３が配置されている。
【００５６】
また、前記開口部２１ａには、この開口部２１ａを開閉可能な開閉窓２１ｂが設けられており、さらに、この開閉窓２１ｂは、図７に示すように、建物内部に向かって開く内開き式の窓であり、この開閉窓２１ｂを建物内部に向かって開いたり閉じたりすることによって前記開口部２１ａを開閉できるようになっている。
【００５７】
また、前記庇部２６は、図６に示すように、建物２０の屋根２０ｂの軒先部２０ｃに設けられる軒天井として用いられているものとする。この軒天井とは、屋根２０ｂの軒先部２０ｃと外壁２１との間に略水平に架け渡されるように配置されるものであり、前記フラワーボックス２２の底部２３と対向している。
また、この庇部２６の外部への突出寸法は、前記底部２３の突出寸法よりも長くなるように設定されている。
【００５８】
一方、前記フラワーボックス２２の立ち上がり壁２４は、前記底部２３の外周縁に沿って立設されている。
すなわち、この立ち上がり壁２４は、図６および図７に示すように、前記下階部の外壁２１ｃの上方に配置される正面部２４ａと、この正面部２４ａの両端部と前記外壁２１との間にそれぞれ架け渡される側部２４ｂ，２４ｃとを備えており、前記底部２３の外周縁に沿って平面視略コ字状に形成されている。
また、本実施の形態の遮蔽物３３は、上述のように前記開口部２１ａの前方に、この開口部２１ａと対向するとともに、前記庇部２６と前記立ち上がり壁２４の上端面との間に架設されるようにして配置されている。
【００５９】
なお、このように本実施の形態の立ち上がり壁２４は平面視略コ字状に形成されているので、このコ字状の立ち上がり壁２４の上端面と前記庇部２６との間に前記遮蔽物３３を架設する際は、図示はしないが、この遮蔽物３３も前記立ち上がり壁２４の形状に合わせて平面視略コ字状となるように張力をかけて架設してもよい。
この際、前記遮蔽物３３が引っ掛けられる複数のフック３７を、前記立ち上がり壁２４の形状に合わせて略コ字状に配置するようにして、前記立ち上がり壁２４の上端面と前記庇部２６とに取り付けることによって、前記遮蔽物３３を平面視略コ字状となるように形成することができる。
ただし、前記遮蔽物３３は、前記立ち上がり壁２４の正面部２４ａおよび側部２４ｂ，２４ｃの上端面の長さと略同等の幅寸法を有しているものとする。
【００６０】
そして、このように前記遮蔽物３３を前記立ち上がり壁２４の形状に合わせて平面視略コ字状となるように張力をかけて、前記庇部２６と前記立ち上がり壁２４の上端面との間に架設することができるので、この遮蔽物３３によって、外部から建物内部へと向かう視線を確実に遮ることができる。
つまり、外部から前記開口部２１ａへと目を向ける際に、前記開口部２１ａの正面にも、両側にも前記遮蔽物３３が設けられているので、どのような角度から前記開口部２１ａを見ても前記遮蔽物３３によって視線が遮られることとなる。
【００６１】
一方、建物内部の下階部に設けられる部屋２０ａの一部が、図７および図８に示すように、前記底部２３の下方に位置している。
すなわち、上述のように前記下階部の外壁２１ｃは、前記外壁２１よりも外部側に配置された状態となっており、これら前記外壁２１と下階部の外壁２１ｃの上端部との間に前記底部２３が架設されるようにして配置された状態となっている。したがって、前記下階部に設けられる部屋２０ａが、前記底部２３の突出寸法分だけ、広くなるように形成されている。
これによって、例えば都市部の狭小敷地に建物２０を建築する場合であっても、できるだけ部屋を広く取ることができ、敷地を有効的に活用できることとなる。
なお、本実施の形態の下階部に設けられる部屋２０ａは、風呂、洗面所、トイレ等が設けられる水周り室とされている。
【００６２】
本実施の形態によれば、第１の実施の形態と同様に、従来とは異なり、排水手段２５を備えたフラワーボックス２２を建物２０の外部に、かつ前記開口部２１ａに面して設けることができ、部屋を狭めなくとも部屋の中から植物３１，３２を見て楽しむことができる。また、前記立ち上がり壁２４によって、前記フラワーボックス２２に収容される容器３０を隠すことができる。
しかも、前記遮蔽物３３，３４，３５，３６を、前記庇部２６と前記立ち上がり壁２４の上端面との間に架設することによって、例えば前記遮蔽物３３，３４，３５，３６を前記開口部２１ａに接近させて配置した場合に比して、前記遮蔽物３３，３４，３５，３６と開口部２１ａとの間の空間をできるだけ広く確保することができるので、部屋の中から植物３１，３２を見て楽しむ際に、前記遮蔽物３３，３４，３５，３６による圧迫感を感じずに植物３１，３２を見て楽しむことができる。
さらに、前記遮蔽物３３，３４，３５，３６によって、外部から建物内部へと向かう視線を確実に遮ることができ、例えば都市部の狭小敷地に建物２０が建築されることによって隣接する建物が近接して建築されていたり、建物２０と道路とが近い場合であっても確実にプライバシーを保護できる。
さらに、前記遮蔽物３３，３４，３５，３６によって、前記容器３０に植栽された植物３１，３２を遮蔽することができるので、例えば激しい風雨や強い日差しを確実に遮ることができ、激しい風雨に弱い植物や、強い日差しに弱い植物なども育てやすくなる。すなわち、例えば前記遮蔽物３３，３４，３５，３６が、風雨や日差しを完全遮断するものではなく、網目やスリットを有するものであったとしても、激しい風雨は、この遮蔽物３３，３４，３５，３６にぶつかった際に勢いが弱められることとなり、強い日差しも、網目やスリット等の隙間から遮蔽物３３，３４，３５，３６を透過することで弱められることとなる。
【図面の簡単な説明】
【００６３】
【図１】本発明の建物の主要部の一例を示す概略図である。
【図２】本発明の建物の主要部の一例を示す概略図である。
【図３】本発明の建物の主要部の一例を示す概略図である。
【図４】本発明の建物の一例を示す正面図である。
【図５】図４に示す建物の平断面図である
【図６】本発明の建物の一例を示す背面図である。
【図７】図６に示す建物の上階部分を示す平断面図である。
【図８】図６に示す建物の下階部分を示す平断面図である。
【符号の説明】
【００６４】
１０  建物
１１  外壁
１１ａ  開口部
１２  フラワーボックス
２０  建物
２１  外壁
２１ａ  開口部
２２  フラワーボックス
３３  遮蔽物（緑化用ネット）
【図１】
2010070937.tif 000003
【図２】
2010070937.tif 000004
【図３】
2010070937.tif 000005
【図４】
2010070937.tif 000006
【図５】
2010070937.tif 000007
【図６】
2010070937.tif 000008
【図７】
2010070937.tif 000009
【図８】
2010070937.tif 000010